(57)【特許請求の範囲】
【請求項１】
プラントデータ及びこれに付帯する付帯情報を収集するプラントデータ収集用計算機、
このプラントデータ収集用計算機によって収集された上記付帯情報の所定期間ごとの有無情報を生成し、上記プラントデータとともに記憶装置に保存するプラントデータ保存用計算機、
及びこのプラントデータ保存用計算機から上記プラントデータ及び上記所定期間ごとの付帯情報の有無情報を取得し、トレンド画面に表示するプラントデータ表示用計算機を備え、
上記プラントデータ保存用計算機は、主系列及び従系列で動作するように２重化され、
各プラントデータ保存用計算機は、自身の計算機について主系列で動作したかまたは従系列で動作したかの情報を上記記憶装置に保存するとともに、
上記プラントデータ表示用計算機は、上記２重化された上記プラントデータ保存用計算機からそれぞれ上記プラントデータ及び上記所定期間ごとの付帯情報の有無情報を取得し、上記取得した主系列のプラントデータを用い、かつ上記取得した両系列の上記所定期間ごとの付帯情報の有無情報の論理和をとることにより表示用データを生成することを特徴とするプラントデータ表示システム。
【請求項２】
プラントデータ及びこれに付帯する付帯情報を収集するプラントデータ収集用計算機、
このプラントデータ収集用計算機によって収集された上記付帯情報の所定期間ごとの有無情報を生成し、上記プラントデータとともに記憶装置に保存するプラントデータ保存用計算機、
及びこのプラントデータ保存用計算機から上記プラントデータ及び上記所定期間ごとの付帯情報の有無情報を取得し、トレンド画面に表示するプラントデータ表示用計算機を備え、
上記プラントデータ保存用計算機は、２重化され、
各プラントデータ保存用計算機は、上記プラントデータの信頼性を示す情報を上記記憶装置に保存するとともに、
上記プラントデータ表示用計算機は、上記２重化された上記プラントデータ保存用計算機からそれぞれ上記プラントデータ及び上記所定期間ごとの付帯情報の有無情報を取得し、上記信頼性を示す情報に基づき、信頼性有りの上記プラントデータ保存用計算機からの上記所定期間ごとの付帯情報の有無情報を優先して、表示用データを生成することを特徴とするプラントデータ表示システム。
【請求項３】
上記プラントデータ保存用計算機は、主系列及び従系列で動作するように２重化され、
各プラントデータ保存用計算機は、自身の計算機について主系列で動作したかまたは従系列で動作したかの情報を上記記憶装置に保存するとともに、
上記プラントデータ保存用計算機は、上記信頼性を示す情報の信頼性有りから信頼性無しへの変化情報及び上記信頼性無しから信頼性有りへの変化情報を上記記憶装置に保存し、
上記プラントデータ表示用計算機は、上記主系列のプラントデータ保存用計算機が上記信頼性有りから信頼性無しへの変化情報及び上記信頼性無しから信頼性有りへの変化情報を有する所定期間では、上記従系列の上記所定期間の信頼性を示す情報が信頼性有りでない場合には、上記主系列の付帯情報の有無情報を用いて、上記表示用データを生成することを特徴とする請求項２記載のプラントデータ表示システム。
【請求項４】
上記プラントデータ保存用計算機は、上記信頼性を示す情報の所定期間における信頼性無しの比率を上記記憶装置に保存するとともに、
上記プラントデータ表示用計算機は、上記所定期間における信頼性無しの比率の小さい方の上記プラントデータ保存用計算機の付帯情報の有無情報を用いて、上記表示用データを生成することを特徴とする請求項２記載のプラントデータ表示システム。
【発明の詳細な説明】
【技術分野】
【０００１】
この発明は、例えば、プラントの監視において、法規・基準等で記録義務のある監視データを収集し、トレンド画面を表示するプラントデータ表示システムに関するものである。
【背景技術】
【０００２】
従来のプラントの監視において、例えば特許文献１及び特許文献２には、２重化した計算機間でデータを等価しておくことにより、データの表示（トレンド画面表示）を高速化させることが記載されている。しかし、これらの特許文献では、表示区間内のプラントデータに付帯している付帯情報の集約表示の高速化については特に触れられていない。
【０００３】
【特許文献１】特開２００６−１５４９１９号公報（第４〜１０頁、図１）
【特許文献２】特開２０００−４８０４７号公報（第１０〜２２頁、図１）
【発明の開示】
【発明が解決しようとする課題】
【０００４】
従来では、１００ｍ秒、あるいは２００ｍ秒単位の定周期で収集されたプラントデータに対して、広い表示区間をトレンド表示する場合、プラントデータ、プラントデータの付帯情報とも大容量データとなるため、それを画面表示のタイミングで全て読み込んでいたのでは表示時間がかかる。そのため、従来では、プラントデータは、画面表示に必要なデータ数だけを抽出したデータのみを読み込むことで、表示の高速化を図ってきた。
一方、プラントデータの付帯情報についても、プラントデータに合わせた抽出データのみの付帯情報を集約表示することで、表示の高速化を実施してきた。
しかし、それでは抽出データ以外のデータのみに付帯情報がある場合には集約表示されないこと、及びデータの抽出結果に依存することなどの問題があり、たとえ、抽出データ以外のデータを参照することにしても、画面表示に時間がかかるという問題があった。
また、プラントデータ記録システムにおいて、計算機が２重化され、収集したデータが２種類存在する場合には、上記に加え、表示区間内の各パラメータの全付帯情報をそれぞれ比較しなければならないため、より画面表示時間がかかりすぎるという問題もあった。
【０００５】
この発明は、上記のような課題を解決するためになされたものであり、プラントデータのトレンド画面を表示するときに、表示区間内のプラントデータ付帯情報の集約表示の高速化を図ったプラントデータ表示システムを得ることを目的にしている。
【課題を解決するための手段】
【０００６】
この発明に係わるプラントデータ表示システムにおいては、プラントデータ及びこれに付帯する付帯情報を収集するプラントデータ収集用計算機、このプラントデータ収集用計算機によって収集された付帯情報の所定期間ごとの有無情報を生成し、プラントデータとともに記憶装置に保存するプラントデータ保存用計算機、及びこのプラントデータ保存用計算機からプラントデータ及び所定期間ごとの付帯情報の有無情報を取得し、トレンド画面に表示するプラントデータ表示用計算機を備え、プラントデータ保存用計算機は、主系列及び従系列で動作するように２重化され、各プラントデータ保存用計算機は、自身の計算機について主系列で動作したかまたは従系列で動作したかの情報を記憶装置に保存するとともに、プラントデータ表示用計算機は、２重化されたプラントデータ保存用計算機からそれぞれプラントデータ及び所定期間ごとの付帯情報の有無情報を取得し、取得した主系列のプラントデータを用い、かつ取得した両系列の所定期間ごとの付帯情報の有無情報の論理和をとることにより表示用データを生成するものである。
【発明の効果】
【０００７】
この発明は、以上説明したように、プラントデータ及びこれに付帯する付帯情報を収集するプラントデータ収集用計算機、このプラントデータ収集用計算機によって収集された付帯情報の所定期間ごとの有無情報を生成し、プラントデータとともに記憶装置に保存するプラントデータ保存用計算機、及びこのプラントデータ保存用計算機からプラントデータ及び所定期間ごとの付帯情報の有無情報を取得し、トレンド画面に表示するプラントデータ表示用計算機を備え、プラントデータ保存用計算機は、主系列及び従系列で動作するように２重化され、各プラントデータ保存用計算機は、自身の計算機について主系列で動作したかまたは従系列で動作したかの情報を記憶装置に保存するとともに、プラントデータ表示用計算機は、２重化されたプラントデータ保存用計算機からそれぞれプラントデータ及び所定期間ごとの付帯情報の有無情報を取得し、取得した主系列のプラントデータを用い、かつ取得した両系列の所定期間ごとの付帯情報の有無情報の論理和をとることにより表示用データを生成するので、プラントデータのトレンド画面表示時の付帯情報の集約表示を高速化することができる。
【発明を実施するための最良の形態】
【０００８】
実施の形態１．
以下、この発明の実施の形態１を図１に基づいて説明する。
図１は、この発明の実施の形態１によるプラントデータ表示システムを示す構成図である。
図１において、プラントデータ収集用計算機１３は、プラント監視制御装置群１１から、複数の入力チャネルで構成するプラントデータバス１２を経由してプラントの監視データ（以下、プラントデータという。）を１００ｍ秒、あるいは２００ｍ秒単位の定周期で収集する。
プラントデータ収集用計算機１３は、プラント監視制御装置群１１から収集したプラントデータに収集時刻を付加する。プラントデータ収集用計算機１３は、プラントデータ保存用計算機１４にデータを送信する。
データを受信したプラントデータ保存用計算機１４は、ディスク装置１５に受信データを保存する。プラントデータ表示用計算機１６では、オペレータからのプラントデータ表示要求を受付け、要求された期間のプラントデータを、プラントデータ保存用計算機１４に要求し、これを受けたプラントデータ保存用計算機１４は、該当データをディスク装置１５から読み出し、プラントデータ表示用計算機１６に返信する。プラントデータ表示用計算機１６では、表示デバイス１７に当該データのトレンド画面を送信し、表示デバイス１７が、このトレンド画面１８を表示する。
【０００９】
プラントデータ保存用計算機１４は、プラントデータ収集用計算機１３からプラントデータを受信するプラントデータ受信処理部１４１と、受信したプラントデータをディスク装置１５に保存するプラントデータ保存処理部１４２と、プラントデータ表示用計算機１６から表示要求を受付けるトレンド画面表示要求処理部１４３と、要求された期間のプラントデータに対してディスク装置１５から読み出しをするトレンド画面データ読み出し処理部１４４と、プラントデータ表示用計算機１６にプラントデータを返信するトレンド画面データ送信処理部１４５とから構成される。
【００１０】
図２は、この発明の実施の形態１によるプラントデータ表示システムの保存データを示す概念図である。
図２において、保存データ２は、プラントデータ収集用計算機１３からプラントデータ保存用計算機１４が受信し、ディスク装置１５へ保存するときのデータ形式である。プラントデータファイル２１、プラントデータ付帯情報ファイル２２、及びプラントデータ付帯情報集約ファイル２３からなる。
プラントデータファイル２１は、時刻に対する入力点（入力点１〜入力点ｎ）のプラントデータが保存されている。プラントデータ付帯情報ファイル２２には、時刻に対する入力点（入力点１〜入力点ｎ）のプラントデータ付帯情報の有り／無しの情報が保存される。プラントデータ付帯情報集約ファイル２３には、入力点（入力点１〜入力点ｎ）の１分毎（００秒から１分間まで）のプラントデータ付帯情報の有り／無し（有り：１、無し：０）の１分間集約情報が保存されている。
なお、付帯情報とは、プラントデータに関する信頼性情報や、そのプラントが作業中か否かなどの情報であり、プラント監視制御装置群１１からプラントデータ収集用計算機１３にプラントデータに付加されて入力される。プラントデータ付帯情報もプラントデータ付帯情報ファイル２２と同じ場所に保存される。
【００１１】
図３は、この発明の実施の形態１によるプラントデータ表示システムのトレンド画面を示す概念図である。
図３において、プラント監視画面において、１つのトレンド画面１８内に表示するプラントデータの個数、表示ドット数は、５つの入力点、７２０ドットで構成されるのが一般的であるが、その５つの入力点のトレンド線３１と、各プラントデータの目盛３２と、各プラントデータの表示区間内の付帯情報の集約表示（有／無）３３とから構成される。
各トレンド線３１は、横軸に要求期間（表示幅）、縦軸各プラントデータの目盛で構成される。各トレンド線３１の要求期間（表示幅）が１日の場合は、６０（分）×２４／７２０ドット＝２分／１ドットとなるため、画面表示に必要なプラントデータは、２分間毎の抽出データとなる。要求期間（表示幅）がより広くなれば、それだけ抽出データの時間幅は広くなる。オペレータからのプラント監視データ表示要求期間は、開始時刻（ＸＸ時ＸＸ分）と要求期間（１時間、３時間、１日、１０日、２０日、３０日等）の組合せとし、開始時刻はＸＸ時ＸＸ分００秒始まりとする。
【００１２】
図４は、この発明の実施の形態１によるプラントデータ表示システムのトレンド画面データ読み出し処理部の処理を示すフローチャートである。
【００１３】
次に、動作について説明する。
プラントデータ受信処理部１４１がプラントデータ収集用計算機１３からプラントデータを受け取ると、プラントデータ保存処理部１４２へデータを渡す。プラントデータ保存処理部１４２は、プラントデータファイル２１と、プラントデータ付帯情報ファイル２２へ、収集時刻に該当する部分にプラントデータ、付帯情報有無を書き込む。
また、プラントデータ付帯情報集約ファイル２３には、ＸＸ時ＸＸ分００秒から１分間までに、付帯情報の有りが１回以上ならば有り（１）、付帯情報の有りが１回未満ならば無し（０）とし、該当する時間の各入力点の付帯集約情報（１分間集約）に対し、書き込む。
トレンド画面表示要求処理部１４３が、プラントデータ表示用計算機１６からの表示要求を受付けると、トレンド画面データ読み出し処理部１４４に通知する。トレンド画面データ読み出し処理部１４４は、要求された期間のプラントデータに対して、図４のフローチャートにしたがって、ディスク装置１５から読み出し処理を行い、トレンド画面データを生成する。
【００１４】
図４で、まず、プラントデータ抽出タスクＳ４１が処理され、ディスク装置１５から要求された期間から画面表示に必要なデータ数（７２０点分）だけのプラントデータを抽出する。
次に、付帯情報集約結果生成タスクＳ４２が処理される。付帯情報集約結果生成タスクＳ４２は、トレンド画面の要求期間が１日未満の場合（ステップＳ４２１）に、要求期間の当該入力点（５点分）の全付帯情報を読み出すことで、集約結果を生成する（ステップＳ４２２）。この理由は、読み出すデータ量が少なく読み出し時間がかからないからである。
一方、要求期間が１日以上の場合（ステップＳ４２１）には、要求期間の当該入力点（５点分）の全付帯情報のデータ量が多く、読み出し時間がかかることから、プラントデータ付帯情報集約ファイル２３を読み出し、要求期間の当該入力点（５点分）の付帯情報の集約結果を作成する（ステップＳ４２３）。
付帯情報の集約結果を作成するのに、１００ｍ秒周期の入力点の場合は、６００分の１、２００ｍ秒周期の入力点の場合は、３００分の１の読み出しデータ量となる。こうすることにより、要求期間が１日以上の場合に、付帯情報の集約結果生成の高速化が図られる。その結果、トレンド画面の集約表示（有／無）３３の高速化が図れる。
【００１５】
この方法は、トレンド画面１８のトレンド線３１のドット数が１４４０ドット（将来、表示デバイスの横幅のドット数が増え、１４４０ドットまでの表示が可能になった場合を想定）においても、６０（分）×２４／１４４０ドット＝１分／１ドットとなるため、１分間の付帯集約情報を１ドットに集約して表示することが可能なことから、トレンド線３１のドット数が１４４０ドットの場合にも適用可能である。
さらに、プラントデータ保存用計算機１４が２重化された場合で、かつプラントデータ保存用計算機１４で保存するデータが両系とも同値化される場合にも適用可能である。
【００１６】
実施の形態１によれば、１００ｍ秒、あるいは２００ｍ秒単位の定周期で収集されたプラントデータに対して、トレンド画面を表示時に、表示区間の付帯情報の集約表示を高速化することができる。
【００１７】
実施の形態２．
以下、この発明の実施の形態２を図に基づいて説明する。
図５は、この発明の実施の形態２によるプラントデータ表示システムを示す構成図である。
図５において、プラントデータ表示システムは、第１系列１ａと第２系列１ｂにより構成され、第１系列１ａは、プラントデータ保存用計算機１４ａ、プラントデータ収集用計算機１３ａ、ディスク装置１５ａを有し、第２系列１ｂは、プラントデータ保存用計算機１４ｂ、プラントデータ収集用計算機１３ｂ、ディスク装置１５ｂを有し、プラントデータ保存用計算機１４は、それぞれ自計算機の系列情報を付加してプラントデータをディスク装置に保存する。プラントデータ表示用計算機１６は、両系列からプラントデータを収集し、主系列である第１系列１ａで記録しているプラントデータを選択して表示する。
第１系列のプラントデータファイルである保存データ２ａ、第２系列のプラントデータファイルである保存データ２ｂ、表示に使用するデータ２ｃが示されている。
【００１８】
図６は、この発明の実施の形態２によるプラントデータ表示システムの両系列の付帯情報集約ファイルを示す概念図である。
図６において、プラントデータ付帯情報集約ファイル６には、第１系列の付帯情報集約ファイルであるプラントデータ第１系列付帯情報集約ファイル６１と、第２系列の集約ファイルであるプラントデータ第２系列付帯情報集約ファイル６２と、両系列からプラントデータ付帯情報集約ファイルを収集し、集約した結果のプラントデータ両系付帯情報集約ファイル６３とがある。
【００１９】
次に、動作について説明する。
プラントデータ保存用計算機１４ａ、プラントデータ保存用計算機１４ｂにて、プラントデータ収集用計算機１３ａ、プラントデータ収集用計算機１３ｂから、それぞれ収集データを受信し、ディスク装置１５ａ、ディスク装置１５ｂに保存する際に、第１系列のプラントデータ付帯情報集約ファイル６１と、第２系列のプラントデータ付帯情報集約ファイル６２を生成する。
この生成は、プラントデータが主系列のときのみを対象とし、ＸＸ時ＸＸ分００秒から１分間までに、プラントデータが主系列、かつ付帯情報が有りの場合が１回以上存在すれば有り（１）、１回未満の場合は無し（０）とし、該当する時間の各入力点の付帯集約情報（１分間集約）に対し、書き込む。プラントデータが主系列のみを対象として付帯集約情報を生成する理由は、主系列で記録しているデータを選択して表示するため、付帯集約情報としては、プラントデータが主系列のもの以外は必要ないからである。
付帯情報の集約結果は、トレンド画面の要求された期間が１日未満の場合には、プラントデータ第１系列付帯情報集約ファイル６１とプラントデータ第２系列付帯情報集約ファイル６２から、要求期間の当該入力点（５点分）の全付帯情報を読み出し、論理和とすることで生成する。
【００２０】
一方、要求期間が１日以上の場合には、まず、プラントデータ表示用計算機１６で、要求期間に該当する時間からなるプラントデータ両系付帯情報集約ファイル６３を生成する。プラントデータ両系付帯情報集約ファイル６３は、プラントデータ第１系列付帯情報集約ファイル６１とプラントデータ第２系列付帯情報集約ファイル６２から、要求期間の付帯集約情報を読み出し、同一時間で論理和をとり、その結果をプラントデータ両系付帯情報集約ファイル６３の同一時間の付帯集約情報（１分間集約）に書き込むことで生成される。
プラントデータ両系付帯情報集約ファイル６３の付帯集約情報（１分間集約）の論理和をとることにより、要求期間の付帯情報の集約結果を生成する。
【００２１】
実施の形態２によれば、計算機が２重化され、収集したデータが２種類存在する場合にも、２種類のデータの予め準備された付帯情報の集約結果を比較することにより、表示区間の付帯情報の集約表示を高速化することができる。
【００２２】
実施の形態３．
以下、この発明の実施の形態３を図に基づいて説明する。
図７は、この発明の実施の形態３によるプラントデータ表示システムを示す構成図である。
図７において、２ａ〜２ｃ、１３ａ、１３ｂ、１４ａ、１４ｂ、１５ａ、１５ｂ、１６は図５におけるものと同一のものである。図７では、プラントデータについては、主系列／従系列の情報は設けず、ディスク装置１５ａ、１５ｂにプラントデータを保存する際に、第１系列の保存データ２ａ、第２系列の保存データ２ｂの当該プラントデータに信頼性有り／無しの情報を付加しておく。
なお、プラントデータに信頼性が無い場合は、そのプラントデータは採用されないデータなので、付帯情報は無しとする。
【００２３】
図８は、この発明の実施の形態３によるプラントデータ表示システムの両系列の付帯情報集約ファイルを示す概念図である。
図８において、プラントデータ付帯情報集約ファイル８には、第１系列の付帯情報集約ファイルであるプラントデータ第１系列付帯情報集約ファイル８１と、第２系列の付帯情報集約ファイルであるプラントデータ第２系列付帯情報集約ファイル８２とがある。いずれも、ＸＸ時ＸＸ分００秒から１分間までに当該プラントデータに信頼性有り／無しの集約情報を付加している。
信頼性有り／無しの集約情報は、図８中、連続（有）、連続（無）、混在で示され、連続（有）は、ＸＸ時ＸＸ分００秒から１分間の当該入力点のプラントデータの信頼性がすべて有りの場合である。連続（無）は、ＸＸ時ＸＸ分００秒から１分間の当該入力点の信頼性がすべて無しの場合である。混在は、ＸＸ時ＸＸ分００秒から１分間の当該入力点の信頼性有り／無しが混在する場合である。
【００２４】
図９は、この発明の実施の形態３によるプラントデータ表示システムのプラントデータ表示用計算機の処理を示すフローチャートである。
【００２５】
実施の形態３では、プラントデータ表示用計算機１６は、第１・第２の両系列からデータを収集して、優先的に第１系列のデータを採用するが、当該系列のデータに信頼性が無く、かつ第２系列のデータの当該箇所が信頼性有り場合には、その部分は第２系列のデータを採用して表示する。
【００２６】
次に、動作について説明する。
第１系列のプラントデータ付帯情報集約ファイル８１と、第２系列のプラントデータ付帯情報集約ファイル８２の付帯集約情報（１分間集約）の生成は、プラントデータ保存用計算機１４ａ、プラントデータ保存用計算機１４ｂにて、それぞれ、プラントデータ収集用計算機１３ａ、プラントデータ収集用計算機１３ｂから収集データを受信し、ディスク装置１５ａ、ディスク装置１５ｂに保存する際に、ＸＸ時ＸＸ分００秒から１分間までに、付帯情報が有りの場合が１回以上存在すれば有り（１）、１回未満の場合は無し（０）とし、該当する時間の各入力点の付帯集約情報（１分間集約）に対し、書き込む。
第１系列のプラントデータ付帯情報集約ファイル８１と、第２系列のプラントデータ付帯情報集約ファイル８２の信頼性情報（１分間集約）の生成は、ＸＸ時ＸＸ分００秒から１分間までに全て信頼性有りであれば、“連続（有）”、全て信頼性無しであれば、“連続（無）”、信頼性有りと無しが混在している場合は、“混在”とし、該当する時間の各入力点の信頼性情報（１分間集約）に対し、書き込む。
【００２７】
付帯情報の集約結果は、プラントデータ表示用計算機によって、図９のフローチャートにしたがって生成される。図９は、付加情報集約結果生成タスクを示している。
次に、図９について説明する。
まず、トレンド画面の要求された期間が１日以上かどうかを判定し（ステップＳ１０１）、ＹＥＳの場合には、トレンド画面に表示される入力点に対して、プラントデータ第１系列付帯情報集約ファイル８１、プラントデータ第２系列付帯情報集約ファイル８２の要求期間に該当する付帯情報（１分間集約）、信頼性情報（１分間集約）を読み出す（ステップＳ１０２）。そして、第１系列信頼性が連続（有）かどうかを判定し（ステップ１０３）、ＹＥＳであれば、ステップＳ１０９に移行し、ＮＯであれば、第１系列信頼性が連続（無）かどうかを判定し（ステップ１０４）、ＹＥＳであれば、第２系列信頼性が連続（無）かどうかを判定し（ステップ１０５）、ＹＥＳであれば、ステップＳ１１０に移行し、ＮＯであれば、ステップＳ１１１に移行する。
【００２８】
ステップＳ１０４で、ＮＯであれば、第２系列信頼性が連続（無）かどうかを判定し（ステップ１０６）、ＹＥＳであれば、ステップＳ１１２に移行し、ＮＯであれば、第１系列の付帯情報が無しかどうかを判定し（ステップＳ１０７）、ＮＯであれば、ステップＳ１１５に移行し、ＹＥＳであれば、第２系列の付帯情報が無しかどうかを判定し（ステップＳ１０８）、ＹＥＳであれば、ステップＳ１１３に移行し、ＮＯであれば、ステップＳ１１４に移行する。
【００２９】
ステップＳ１０９では、第１系列の付帯情報（１分間集約）を採用し、ステップＳ１１０では、第１系列の付帯情報（１分間集約）を採用し、ステップＳ１１１では、第２系列の付帯情報（１分間集約）を採用し、ステップＳ１１２では、第１系列の付帯情報（１分間集約）を採用し、ステップＳ１１３では、第１系列の付帯情報（１分間集約）を採用し、ステップＳ１１５では、第１系列の付帯情報（１分間集約）を採用する。
ステップＳ１１４では、プラントデータ表示用計算機１６は、まず、プラントデータ保存用計算機１４ａより、該当時間の信頼性無となっている時刻を全て抽出する。プラントデータ保存用計算機１４ｂより、抽出された時刻に該当する第２系列のデータの付帯情報をチェックする。そのチェックにおいて、第２系列の付帯情報が有りであれば、第２系列の付帯情報（１分間集約）を採用する。そうでなければ、第１系列の付帯情報（１分間集約）を採用する。
【００３０】
ステップＳ１０９〜ステップＳ１１５が終了すると、要求期間の１分ごとにステップＳ１０３に戻る処理を繰り返し、その後、ステップＳ１１６で、採用した付帯情報の論理和をとり、トレンド画面に表示される入力点数分、ステップＳ１０３に戻る処理を繰り返し、終了する。
【００３１】
一方、ステップＳ１０１で、ＮＯの場合には、ステップＳ１１７で、トレンド画面に表示される入力点に対して、それぞれ以下を実施する。第１系列、第２系列の要求期間の付帯情報はすべて読み出す。第１系列の信頼性が有る場合、あるいは第１系列、第２系列ともに信頼性が無い場合は、第１系列の付帯情報を採用する。第１系列の信頼性が無い場合で、かつ第２系列の信頼性が有る場合は、第２系列の付帯情報を採用する。ステップＳ１１７を要求期間の１分ごとに繰り返し、ステップＳ１１８を実行する。
ステップＳ１１８では、採用した付帯情報の論理和をとる。ステップＳ１１８をトレンド画面に表示される入力点数分繰り返し、終了する。
【００３２】
実施の形態３によれば、こうすることにより、付帯情報の集約結果生成の高速化が図られる。その結果、トレンド画面の集約表示（有／無）の高速化が図れる。
【００３３】
実施の形態４．
以下、この発明の実施の形態４を図に基づいて説明する。
図１０は、この発明の実施の形態４によるプラントデータ表示システムの第１系列の付帯情報集約ファイルを示す概念図である。
図１０において、プラントデータ付帯情報集約ファイル１０には、第１系列の付帯情報集約ファイルであるプラントデータ第１系列付帯情報集約ファイル１０１があり、これには、信頼性情報が混在である場合に、信頼性有りから無しへ変化した時刻、あるいは信頼性無しから有りへ変化した時刻の保存エリアを付加している。
【００３４】
図１１は、この発明の実施の形態４によるプラントデータ表示システムのプラントデータ表示用計算機の処理を示すフローチャートである。
【００３５】
実施の形態３では、図９のステップＳ１１４の場合には、再度、プラントデータ表示用計算機から、プラントデータ保存用計算機１４ａのプラントデータ第１系列付帯情報ファイルを読み出さなければならかった。そのため、トレンド画面の表示時間がその分遅くなる。
そこで、実施の形態４では、プラントデータ第１系列付帯情報集約ファイル１０１に、信頼性情報が混在である場合に、信頼性有りから無しへ変化した時刻、あるいは信頼性無しから有りへ変化した時刻の保存エリアを付加している。
プラントデータは、信頼性有りから無しへの変化、あるいは信頼性無しから有りへの変化が１分間の間に複数回発生するとは考えにくい。そこで、信頼性有りから無し、あるいは信頼性無しから有りへの変化は、高々１回とした。ただし、信頼性有りから無しへ変化した時刻、あるいは信頼性無しから有りへ変化した時刻のどちらが発生したのかの区別は必要なため、保存エリアをそれぞれに設けた。
【００３６】
付帯情報の集約結果の生成は、図９のステップＳ１１４を、図１１のとおりに変更することで、プラントデータ保存用計算機１ａからの再度の読み出しが不要となり、付帯情報の集約結果生成のより高速化が図れる。その結果、トレンド画面の集約表示（有／無）のより高速化を図ることができる。
図１１では、ステップＳ１２１で、信頼性有りから信頼性無しへ変化した時刻が入っているかどうかを判定し、ＹＥＳであれば、ステップＳ１２２に移行し、ＮＯであれば、ステップＳ１２３に移行する。
ステップＳ１２２では、第１系列の信頼性無しの時間帯は、信頼性有りから信頼性無しへ変化した時刻から次の００秒までの間である。この時間帯に該当する第２系列のデータの付帯情報をチェックする。そのチェックにおいて、第２系列の付帯情報が有りであれば、第２系列の付帯情報（１分間集約）を採用する。そうでなければ、第１系列の付帯情報（１分間集約）を採用する。
ステップＳ１２３では、第１系列の信頼性無しの時間帯は、００秒〜信頼性無しから信頼性有りへ変化した時刻までの間である。この時間帯に該当する第２系列のデータの付帯情報をチェックする。そのチェックにおいて、第２系列の付帯情報が有りであれば、第２系列の付帯情報（１分間集約）を採用する。そうでなければ、第１系列の付帯情報（１分間集約）を採用する。
【００３７】
実施の形態４によれば、これにより、プラントデータ保存用計算機からの再度の読み出しが不要となり、付帯情報の集約結果生成のより高速化を図ることができ、その結果、トレンド画面の集約表示（有／無）のより高速化を図ることができる。
【００３８】
実施の形態５．
以下、この発明の実施の形態５を図に基づいて説明する。
図１２は、この発明の実施の形態５によるプラントデータ表示システムの信頼性有り／無しが混在するパターンを示す概念図である。
図１２において、第１系列及び第２系列について、信頼性有りから無しへの変化及び信頼性無しから有りへの変化が１分間内に混在するパターン１〜４が示されている。
【００３９】
図１３は、この発明の実施の形態５によるプラントデータ表示システムの両系列の付帯情報集約ファイルを示す概念図である。
図１３において、プラントデータ付帯情報集約ファイル１１には、第１系列の付帯情報集約ファイルであるプラントデータ第１系列付帯情報集約ファイル１１１と、第２系列の付帯情報集約ファイルであるプラントデータ第２系列付帯情報集約ファイル１１２とが示されている。プラントデータ第１系列付帯情報集約ファイル１１１に００秒時の信頼性有り／無し情報、及び１分間集約で混在の場合の信頼性無し率を付加し、プラントデータ第２系列付帯情報集約ファイル１１２にもこの信頼性無し率を付加している。
ここで、信頼性無し率は、１分間で収集データ数に対する信頼性無しデータの割合（パーセント）である。
【００４０】
図１４は、この発明の実施の形態５によるプラントデータ表示システムのプラントデータ表示用計算機の処理を示すフローチャートである。
【００４１】
実施の形態４では、図１１にて、再度、プラントデータ表示用計算機１６からプラントデータ保存用計算機１４ｂのプラントデータ第２系列付帯情報ファイルを読み出さなければならかった。そのため、トレンド画面の表示時間がその分遅くなる。
そこで、実施の形態５は、第１系列と第２系列は同一入力点を収集していること、及びプラントデータは１分間に複数回の変化はしないと考え、図１２に示すパターンを考える。これらのパターンを判別するため、図１３に示すように、プラントデータ第１系列付帯情報集約ファイル１１１に００秒時の信頼性有り／無し情報、及び信頼性無し率を付加し、プラントデータ第２系列付帯情報集約ファイル１１２に信頼性無し率を付加している。
【００４２】
付帯情報の集約結果の生成は、図１１を、図１４のとおりに変更することで、プラントデータ保存用計算機１４ｂへ再度の読み出しが不要となり、付帯情報の集約結果生成のより高速化が図られる。その結果、トレンド画面の集約表示（有／無）のより高速化が図れる。
図１４において、ステップＳ１５１で、第１系列の信頼性無し率は、第２系列の信頼性無し率以下かどうかを判定する。ステップＳ１５１で、ＹＥＳであれば、ステップＳ１５２に移行し、ＮＯであれば、ステップＳ１５３に移行する。
ステップＳ１５２では、第１系列の付帯情報（１分間集約）を採用する。ステップＳ１５３では、第２系列の付帯情報（１分間集約）を採用する。
【００４３】
実施の形態５によれば、こうすることにより、付帯情報の集約結果の生成時に、プラントデータ保存用計算機１４ｂへ再度の読み出しが不要となり、付帯情報の集約結果生成のより高速化が図れ、その結果、トレンド画面の集約表示（有／無）のより高速化が図れる。
【図面の簡単な説明】
【００４４】
【図１】この発明の実施の形態１によるプラントデータ表示システムを示す構成図である。
【図２】この発明の実施の形態１によるプラントデータ表示システムの保存データを示す概念図である。
【図３】この発明の実施の形態１によるプラントデータ表示システムのトレンド画面を示す概念図である。
【図４】この発明の実施の形態１によるプラントデータ表示システムのトレンド画面データ読み出し処理部の処理を示すフローチャートである。
【図５】この発明の実施の形態２によるプラントデータ表示システムを示す構成図である。
【図６】この発明の実施の形態２によるプラントデータ表示システムの両系列の付帯情報集約ファイルを示す概念図である。
【図７】この発明の実施の形態３によるプラントデータ表示システムを示す構成図である。
【図８】この発明の実施の形態３によるプラントデータ表示システムの両系列の付帯情報集約ファイルを示す概念図である。
【図９】この発明の実施の形態３によるプラントデータ表示システムのプラントデータ表示用計算機の処理を示すフローチャートである。
【図１０】この発明の実施の形態４によるプラントデータ表示システムの第１系列の付帯情報集約ファイルを示す概念図である。
【図１１】この発明の実施の形態４によるプラントデータ表示システムのプラントデータ表示用計算機の処理を示すフローチャートである。
【図１２】この発明の実施の形態５によるプラントデータ表示システムの信頼性有り／無しが混在するパターンを示す概念図である。
【図１３】この発明の実施の形態５によるプラントデータ表示システムの両系列の付帯情報集約ファイルを示す概念図である。
【図１４】この発明の実施の形態５によるプラントデータ表示システムのプラントデータ表示用計算機の処理を示すフローチャートである。
【符号の説明】
【００４５】
１ａ  第１系列
１ｂ  第２系列
２ａ  第１系列の保存データ
２ｂ  第２系列の保存データ
２ｃ  表示に使用するデータ
１１  プラント監視制御装置群
１２  プラントデータバス
１３  プラントデータ収集用計算機
１４  プラントデータ保守用計算機
１５  ディスク装置
１６  プラントデータ表示用計算機
１７  表示デバイス
１８  トレンド画面
１４１  プラントデータ受信処理部
１４２  プラントデータ保存処理部
１４３  トレンド画面表示要求処理部
１４４  トレンド画面データ読み出し処理部
１４５  トレンド画面送信処理部
【図１】
0004981647.tif 000002
【図２】
0004981647.tif 000003
【図３】
0004981647.tif 000004
【図４】
0004981647.tif 000005
【図５】
0004981647.tif 000006
【図６】
0004981647.tif 000007
【図７】
0004981647.tif 000008
【図８】
0004981647.tif 000009
【図９】
0004981647.tif 000010
【図１０】
0004981647.tif 000011
【図１１】
0004981647.tif 000012
【図１２】
0004981647.tif 000013
【図１３】
0004981647.tif 000014
【図１４】
0004981647.tif 000015